【手続補正書】
【提出日】令和1年7月25日(2019.7.25)
【手続補正１】
【補正対象書類名】特許請求の範囲
【補正対象項目名】全文
【補正方法】変更
【補正の内容】
【特許請求の範囲】
【請求項１】
隣り合わせに配置され、かつ、接続ウェブ（６）によって互いに接続された、蛇行構成を有する複数のリングセグメント（３、４）を含むステント（１）と、該ステント（１）の外側全体を覆い、前記ステントの端部の周りを内向きに包み込み、かつ、前記リングセグメント（４）のループと隣接し合う前記リングセグメント（３、４）を互いに結合する接続ウェブ（６）との間に固定された、少なくとも１つのメンブレン（２）とからなる、ステントグラフトであって、
前記メンブレン（２）が、前記ステント（１）の端部から見て、第２のリングセグメント（４）の少なくとも２つのループと、隣接する末端リングセグメント（３）への前記接続ウェブ（６）との間に固定される
ことを特徴とする、ステントグラフト。
【請求項２】
前記末端リングセグメント（３）が、真っすぐな接続ウェブ（６）によって前記隣接するリングセグメント（４）に接続され、該真っすぐな接続ウェブ（６）が、前記ステントの内側に向いた前記末端リングセグメント（３）の外側アーチ（９）から、前記第２のリングセグメント（４）の谷間又は内側アーチ（８）内へと至ることを特徴とする、請求項１に記載のステントグラフト。
【請求項３】
前記ステントの外側に向いた前記第２のリングセグメント（４）の前記ループが、異なる長さを交互に有することを特徴とする、請求項１又は２に記載のステントグラフト。
【請求項４】
前記第２のリングセグメントの短いループの長いループに対する長さの比が１：２〜２：３であることを特徴とする、請求項３に記載のステントグラフト。
【請求項５】
前記第２のリングセグメント（４）の外向きのアーチ（１０）が、ブラインドウェブ（５）によって前記ステントの外側の方向へと延長されていることを特徴とする、請求項１又は２に記載のステントグラフト。
【請求項６】
前記ブラインドウェブ（５）は、該ブラインドウェブ（５）が設けられた前記ループ（４）の長さの５０〜１００％の長さを有することを特徴とする、請求項５に記載のステントグラフト。
【請求項７】
前記ブラインドウェブ（５）が、前記末端リングセグメント（３）の前記谷間（７）内へと突き出ていることを特徴とする、請求項５又は６に記載のステントグラフト。
【請求項８】
前記ステント（１）に管状のメンブレン（２）が備わっていることを特徴とする、請求項１〜７のいずれか一項に記載のステントグラフト。
【請求項９】
前記メンブレン（２）がｅＰＴＦＥチューブからなることを特徴とする、請求項１〜８のいずれか一項に記載のステントグラフト。
【請求項１０】
前記ステント（１）がバルーンによって拡張可能なステントであることを特徴とする、請求項１〜９のいずれか一項に記載のステントグラフト。
【請求項１１】
バルーンカテーテルのバルーン上にクリンプされることを特徴とする、請求項１０に記載のステントグラフト。
【請求項１２】
形状記憶合金でできた自己拡張するステントが備わっていることを特徴とする、請求項１〜９のいずれか一項に記載のステントグラフト。
【請求項１３】
請求項１〜１０のいずれか一項に記載のステントグラフトの製造方法において、
蛇行構成を有する相互接続したリングセグメント（３、４）を備えたステント（１）を提供する工程であって、前記リングセグメント（３、４）が複数のループを含む、工程、
周辺リングセグメント（３）に隣接して位置付けられたリングセグメント（４）の少なくとも１つのループ（１２）を内側に曲げる工程、
管状メンブレン（２）を前記ステント（１）に取り付ける工程、
前記管状メンブレン（２）の端部が前記ステント（１）のルーメン内へと延びるように、少なくとも１つの周辺リングセグメント（３）の周りを前記管状メンブレン（２）で包み込む工程、
前記リングセグメント（４）の前記内向きループ（１２）の下に前記管状メンブレン（２）の端部（２ｂ）を挿入する工程、及び
前記内側に曲がったループ（１２）を曲げ戻すことによって、前記管状メンブレン（２）の前記端部（２ｂ）を前記ステント（１）に固定する工程
を含む、方法。
【請求項１４】
前記管状メンブレン（２）が、前記ステントの両端の周りを包み込み、かつ、前記ステントの両端に固定されることを特徴とする、請求項１３に記載の方法。
【請求項１５】
前記固定が、前記周辺リングセグメント（３）に隣接して位置付けられた前記リングセグメント（４）の幾つかのループ（１２）の下で達成されることを特徴とする、請求項１４に記載の方法。
【請求項１６】
前記固定が、前記周辺リングセグメント（３）に隣接して位置付けられた前記リングセグメント（４）の各ループ又は１つおきのループ（１２）の下で達成されることを特徴とする、請求項１５に記載の方法。
【請求項１７】
前記管状メンブレン（２）が備わった前記ステントグラフトが、バルーン上にクリンプされることを特徴とする、請求項１３〜１６のいずれか一項に記載の方法。
【手続補正２】
【補正対象書類名】明細書
【補正対象項目名】００４４
【補正方法】変更
【補正の内容】
【００４４】
上述の実施形態は単に例を表しているに過ぎず、これらの例示的な実施形態の個別の特徴は、本発明が提案するステントグラフトにおける任意の想起可能な組合せで生じうることが理解されるべきである。
他の実施形態
１．  隣り合わせに配置され、かつ、接続ウェブ（６）によって互いに接続された、蛇行構成を有する複数のリングセグメント（３、４）を含むステント（１）と、該ステント（１）の外側全体を覆い、前記ステントの端部の周りを内向きに包み込み、かつ、前記リングセグメント（４）のループと隣接し合う前記リングセグメント（３、４）を互いに結合する接続ウェブ（６）との間に固定された、少なくとも１つのメンブレン（２）とからなる、ステントグラフトであって、
前記メンブレン（２）が、前記ステント（１）の端部から見て、第２のリングセグメント（４）の少なくとも２つのループと、隣接する末端リングセグメント（３）への前記接続ウェブ（６）との間に固定される
ことを特徴とする、ステントグラフト。
２．  前記末端リングセグメント（３）が、真っすぐな接続ウェブ（６）によって前記隣接するリングセグメント（４）に接続され、該真っすぐな接続ウェブ（６）が、前記ステントの内側に向いた前記末端リングセグメント（３）の外側アーチ（９）から、前記第２のリングセグメント（４）の谷間又は内側アーチ（８）内へと至ることを特徴とする、実施形態１に記載のステントグラフト。
３．  前記ステントの外側に向いた前記第２のリングセグメント（４）の前記ループが、異なる長さを交互に有することを特徴とする、実施形態１又は２に記載のステントグラフト。
４．  前記第２のリングセグメントの短いループの長いループに対する長さの比が１：２〜２：３であることを特徴とする、実施形態３に記載のステントグラフト。
５．  前記第２のリングセグメント（４）の外向きのアーチ（１０）が、ブラインドウェブ（５）によって前記ステントの外側の方向へと延長されていることを特徴とする、実施形態１又は２に記載のステントグラフト。
６．  前記ブラインドウェブ（５）は、該ブラインドウェブ（５）が設けられた前記ループ（４）の長さの５０〜１００％の長さを有することを特徴とする、実施形態５に記載のステントグラフト。
７．  前記ブラインドウェブ（５）が、前記末端リングセグメント（３）の前記谷間（７）内へと突き出ていることを特徴とする、実施形態５又は６に記載のステントグラフト。
８．  前記ステント（１）に管状のメンブレン（２）が備わっていることを特徴とする、実施形態１〜７のいずれか一項に記載のステントグラフト。
９．  前記メンブレン（２）がｅＰＴＦＥチューブからなることを特徴とする、実施形態１〜８のいずれか一項に記載のステントグラフト。
１０．  前記ステント（１）がバルーンによって拡張可能なステントであることを特徴とする、実施形態１〜９のいずれか一項に記載のステントグラフト。
１１．  バルーンカテーテルのバルーン上にクリンプされることを特徴とする、実施形態１０に記載のステントグラフト。
１２．  形状記憶合金、特にニチノールでできた自己拡張するステントが備わっていることを特徴とする、実施形態１〜９のいずれか一項に記載のステントグラフト。
１３．  実施形態１〜１０のいずれか一項に記載のステントグラフトの製造方法において、
蛇行構成を有する相互接続したリングセグメント（３、４）を備えたステント（１）を提供する工程であって、前記リングセグメント（３、４）が複数のループを含む、工程、
周辺リングセグメント（３）に隣接して位置付けられたリングセグメント（４）の少なくとも１つのループ（１２）を内側に曲げる工程、
管状メンブレン（２）を前記ステント（１）に取り付ける工程、
前記管状メンブレン（２）の端部が前記ステント（１）のルーメン内へと延びるように、少なくとも１つの周辺リングセグメント（３）の周りを前記管状メンブレン（２）で包み込む工程、
前記リングセグメント（４）の前記内向きループ（１２）の下に前記管状メンブレン（２）の端部（２ｂ）を挿入する工程、及び
前記内側に曲がったループ（１２）を曲げ戻すことによって、前記管状メンブレン（２）の前記端部（２ｂ）を前記ステント（１）に固定する工程
を含む、方法。
１４．  前記管状メンブレン（２）が、前記ステントの両端の周りを包み込み、かつ、前記ステントの両端に固定されることを特徴とする、実施形態１３に記載の方法。
１５．  前記固定が、前記周辺リングセグメント（３）に隣接して位置付けられた前記リングセグメント（４）の幾つかのループ（１２）の下で達成されることを特徴とする、実施形態１４に記載の方法。
１６．  前記固定が、前記周辺リングセグメント（３）に隣接して位置付けられた前記リングセグメント（４）の各ループ又は１つおきのループ（１２）の下で達成されることを特徴とする、実施形態１５に記載の方法。
１７．  前記管状メンブレン（２）が備わった前記ステントグラフトが、バルーン上にクリンプされることを特徴とする、実施形態１３〜１６のいずれか一項に記載の方法。